(57)【要約】  ロック付きパッケージ（１０）には、ケース（１４)及び挿入物（１２）が含まれる。ケース（１４）及び挿入物（１２）は、ロック態様を有するロック付きパッケージ（１０）を提供するための係合及び収容機構を備える。係合及び収容機構が係合する場合、挿入物（１２）は実質的に固定され、挿入物（１２）内または上に保存されたアイテムへのアクセスが限定される。ケース（１４）には、ロック付きパッケージ（１０）のロック態様を解除するためのロック解除態様が含まれる。収容または係合機構は、機能位置内外に機構を移動させる摺動挿入物（１２）上に設けられる。機構が配置外にある場合には、受け及び係合機構は係合されず、挿入物（１２）がケース（１４）内に固定されるのを防ぐ。【選択図】図１
2010527310.tif 000002
【特許請求の範囲】
【請求項１】
ケース及び摺動部材を備え、
前記摺動部材は、第１係合機構を備え、
前記ケースは、前記摺動部材を収容する空所を形成するために連結された複数の側面と、
前記摺動部材が少なくとも部分的に通過する前記空所に近接した摺動部材挿入スロットと、
第２係合機構とともに摺動スペーサーを収容するよう構成されたチャネルと、
前記摺動スペーサーにアクセスできるよう構成されたチャネルに近接したアクセスポートとを備えることを特徴とする保存及び調合システム。
【請求項２】
前記第１係合機構は、開口を備えることを特徴とする請求項１に記載のシステム。
【請求項３】
前記チャネル内に配置され、そこから延在する摺動スペーサーをさらに備えることを特徴とする請求項１に記載のシステム。
【請求項４】
前記側面の一方は、前記第１係合機構に係合するよう構成された第２係合機構を備えることを特徴とする請求項１に記載のシステム。
【請求項５】
前記側面の一方は、前記第２係合機構に近接するリリース手段をさらに備えることを特徴とする請求項４に記載のシステム。
【請求項６】
前記摺動部材は、スペーサー開口をさらに備えることを特徴とする請求項３に記載のシステム。
【請求項７】
前記第２係合機構は、前記摺動スペーサーに有効的に連結されることを特徴とする請求項３に記載のシステム。
【請求項８】
前記摺動スペーサーは、傾斜部材をさらに備えることを特徴とする請求項７に記載のシステム。
【請求項９】
前記第２係合機構は、ポストを備えることを特徴とする請求項５に記載のシステム。
【請求項１０】
前記ケースは、傾斜部材をさらに備えることを特徴とする請求項１に記載のシステム。
【請求項１１】
前記傾斜部材は、前記第２係合機構に近接していることを特徴とする請求項１０に記載のシステム。
【請求項１２】
前記摺動部材は、ブリスターパックを備えることを特徴とする請求項１に記載のシステム。
【請求項１３】
前記ロック付きケースは、パッケージステータスインジケータをさらに備えることを特徴とする請求項１に記載のシステム。
【請求項１４】
前記パッケージステータスインジケータは、前記ケース内に形成されたポートを備えることを特徴とする請求項１３に記載のシステム。
【請求項１５】
第１係合機構とともに摺動部材を収容する空所を形成するために連結された複数の側面と、
前記収容された摺動部材が少なくとも部分的に通過する前記空所に近接した摺動部材挿入スロットと、
第２係合機構とともに摺動スペーサーを収容するよう構成されたチャネルと、
前記摺動スペーサーにアクセスできるよう構成されたチャネルに近接したアクセスポートと、
前記第１係合機構を前記第２係合機構から選択的に解除するための、前記第２係合機構に近接するリリース手段とを備えることを特徴とするロック付きケース。
【請求項１６】
前記チャネル内に配置され、そこから延在する摺動スペーサーをさらに備えることを特徴とする請求項１５に記載のケース。
【請求項１７】
前記第２係合機構は、前記側面の一方で形成されることを特徴とする請求項１５に記載のケース。
【請求項１８】
前記第２係合機構は、前記摺動スペーサーに有効的に連結されることを特徴とする請求項１５に記載のケース。
【請求項１９】
前記摺動スペーサーは、傾斜部材をさらに備えることを特徴とする請求項１５に記載のケース。
【請求項２０】
前記第２係合機構は、ポストを備えることを特徴とする請求項１５に記載のケース。
【請求項２１】
前記摺動部材は、ブリスターパックを備えることを特徴とする請求項１５に記載のケース。
【請求項２２】
第１係合機構とともに摺動部材を収容する空所を形成するために連結された複数の側面と、
前記収容された摺動部材が少なくとも部分的に通過する前記空所に近接した摺動部材挿入スロットと、
第２係合機構とともに摺動スペーサーを収容するよう構成されたチャネルと、
前記摺動スペーサーにアクセスできるよう構成されたチャネルに近接したアクセスポートとを備えたロック付きケースを提供する工程と、
解除位置に前記摺動スペーサーを移動させる工程とを備え、
第１係合機構は、前記第２係合機構を少なくとも部分的に係合することを防ぐことを特徴とするロック付きケースの解除方法。
【請求項２３】
前記第２係合機構は、前記摺動スペーサーに有効的に連結されることを特徴とする請求項２２に記載の方法。
【請求項２４】
前記摺動スペーサーは、傾斜部材をさらに備えることを特徴とする請求項２３に記載の方法。
【請求項２５】
前記ロック付きケースは、パッケージステータスインジケータをさらに備えることを特徴とする請求項２２に記載の方法。
【請求項２６】
前記パッケージステータスインジケータは、前記ケース内に形成されたポートを備えることを特徴とする請求項２５に記載の方法。
【請求項２７】
前記摺動部材は、ブリスターパックを備えることを特徴とする請求項２２に記載の方法。
【請求項２８】
第１係合機構とともに摺動部材を収容する空所を形成するために連結された複数の側面と、
前記収容された摺動部材が少なくとも部分的に通過する前記空所に近接した摺動部材挿入スロットと、
前記空所内に実質的に配置される第２係合機構と、
前記第２係合機構とともに摺動スペーサーを収容するよう構成されたチャネルと、
前記摺動スペーサーにアクセスできるよう構成されたチャネルに近接したアクセスポートとを備えたロック付きケースにアクセスする工程と、
前記アクセスポートを通して前記摺動スペースにアクセスする工程と、
前記摺動部材が前記ケース内に挿入された場合に、前記第１係合機構及び前記第２係合機構が係合するのを妨げないように、前記第２係合機構から前記摺動スペーサーを移動させる工程とを備えることを特徴とするロック付きケースの選択的機能方法。
【請求項２９】
第１係合機構とともに摺動部材を収容する空所を形成するために連結された複数の側面と、
前記収容された摺動部材が少なくとも部分的に通過する前記空所に近接した摺動部材挿入スロットと、
前記空所内に実質的に配置される第２係合機構と、
前記第２係合機構とともに摺動スペーサーを収容するよう構成されたチャネルと、
前記摺動スペーサーにアクセスできるよう構成されたチャネルに近接したアクセスポートとを備えたロック付きケースにアクセスする工程と、
前記アクセスポートを通して前記摺動スペースにアクセスする工程と、
前記摺動部材が前記ケース内に挿入された場合に、前記第１係合機構及び前記第２係合機構が係合するのを妨げるように、前記摺動スペーサーを前記第２係合機構に十分近接させる工程とを備えることを特徴とするロック付きケースの選択的解除方法。
【請求項３０】
第１係合機構とともに摺動部材を収容する空所を形成するために連結された複数の側面と、
前記収容された摺動部材が少なくとも部分的に通過する前記空所に近接した摺動部材挿入スロットと、
摺動係合機構を収容するよう構成されたチャネルと、
前記摺動係合機構にアクセスできるよう構成されたチャネルに近接したアクセスポートとを備えたロック付きケースにアクセスする工程と、
前記アクセスポートを通して前記摺動係合機構にアクセスする工程と、
前記摺動部材が前記ケース内に挿入された場合に、前記第１係合機構及び前記第２係合機構が実質的に近接し、これらの係合機構が係合するように、前記摺動スペーサーを配置する工程とを備えることを特徴とするロック付きケースの選択的機能方法。
【請求項３１】
第１係合機構とともに摺動部材を収容する空所を形成するために連結された複数の側面と、
前記収容された摺動部材が少なくとも部分的に通過する前記空所に近接した摺動部材挿入スロットと、
摺動係合機構を収容するよう構成されたチャネルと、
前記摺動係合機構にアクセスできるよう構成されたチャネルに近接したアクセスポートとを備えたロック付きケースにアクセスする工程と、
前記アクセスポートを通して前記摺動スペーサーにアクセスする工程と、
前記摺動部材が前記ケース内に挿入された場合に、前記第１係合機構及び前記第２係合機構が実質的に離間し、これらの係合機構が係合するのを妨げるように、前記摺動スペーサーを配置する工程とを備えることを特徴とするロック付きケースの選択的解除方法。
【請求項３２】
少なくとも１つのアイテムを保持するよう構成されたケース及び摺動カードを備え、
前記摺動カードは、ロッキング開口を備え、
前記ケースは、前記摺動カードを収容する空所を形成するために連結された複数の側面と、
前記摺動カードが少なくとも部分的に通過する前記空所に近接したケース開口と、
摺動スペーサーを収容するよう構成されたチャネルと、
前記チャネル内に配置された摺動スペーサーと、
前記摺動スペーサーにアクセスできるよう構成されたチャネルに近接したアクセスポートとを備えることを特徴とするアイテム保存用パッケージ。
【請求項３３】
前記側面の一方は、前記ロッキング開口を係合するよう構成されたロッキングポストを備えることを特徴とする請求項３２に記載のパッケージ。
【請求項３４】
前記側面の一方は、前記ロッキング開口に近接したリリース手段をさらに備えることを特徴とする請求項３３に記載のパッケージ。
【請求項３５】
ロッキングポストは、前記摺動スペーサーに有効的に連結されることを特徴とする請求項３２に記載のパッケージ。
【請求項３６】
前記摺動スペーサーは、傾斜部材をさらに備えることを特徴とする請求項３５に記載のパッケージ。
【請求項３７】
前記ケースは、前記ロッキングポストに近接した傾斜部材をさらに備えることを特徴とする請求項３３に記載のパッケージ。
【請求項３８】
前記ロック付きケースは、パッケージステータスインジケータをさらに備えることを特徴とする請求項３２に記載のパッケージ。
【発明の詳細な説明】
【技術分野】
【０００１】
この出願は、以下に引用文献に含まれた２００７年５月１７日付け米国暫定特許出願第６０／９３８，６２３号の利益を請求する。
【０００２】
本発明は、一般的にロック付きパッケージに関するものである。より具体的には、本発明は、選択自在なロック付きケースに用いられる調整機構に関するものである。
【背景技術】
【０００３】
容器を開くために複雑な操作を必要とする、子供のいたずら防止機能付きまたはロック付きの容器は、数多く用いられている。ロック付き容器の１つの使用方法としては、錠剤及びタブレット状の薬剤及び医薬品の調合の制御に用いられる。例えば、薬瓶のロックキャップがよく知られている。典型的なロックキャップ機構には、医薬品に接するために、容器からを取り外すようキャップの回転とともに、調整された配列及び傾斜、軸方向圧力、または内径方向の圧縮が要求される。
【０００４】
他の例においては、薬剤は、子供のいたずら防止を確実にすることは困難である従来の平坦な箱に包装されている。タブレット状の多くの医薬品は、ブリスターパック状、具体的には、ブリスターからタブレットを取り出す際に穴を開けられるバリアによって密封されるシート上に形成されてブリスター状で販売されている。１つ以上のブリスターパックを保持する典型的な厚紙の平坦な箱が開封されると、パッケージの全内容物が露出され、タブレットの全てが直ぐに利用できる。
【発明の開示】
【発明が解決しようとする課題】
【０００５】
消費しようとしていない大量のタブレットに子供が接触してしまうのは明らかに危険である。
【課題を解決するための手段】
【０００６】
本発明の実施形態は、アイテム、例えば、トレー、仕切のある引出、ブリスターカード、ブリスターパック等（「摺動自在なカード」）を保持する摺動部材で包装された医薬品の保存及び調合用の子供のいたずら防止ロック付き容器に関するものである。摺動自在なカードは、従来のブリスターパッケージとして示されているが、摺動部材は当業者が公知なトレー、摺動自在なパッケージやあらゆるパッケージとしてもよい。このロック付き容器は、摺動自在なカードを収容する空所を形成するために３つの側面が閉じられたツーピース成形プラスチック容器として示されている。摺動自在なカードは、ロック付き容器の解放した４つ目の側面を通って摺動自在に出し入れできる。あるロック付き容器上に成形された柱は、他のロック付き容器上に対応して成形された中空の円筒と連結され、ある実施形態においては、密封され、または密着される。他の取付機構を用いることもでき、また、このような他の機構の使用も期待される。
【０００７】
ロック付き容器には、１つ以上のロック態様が含まれる。ロック態様には、ロック付き容器の１つまたは２つの部分上に形成された係合機構が含まれる。係合機構には、例えば、１つ以上のポスト、開口、ツメ、へり、ホック、接着剤、金属及び／または磁石面、ＶＥＬＣＲＯ（登録商標）締め具、その他の機構（「ポスト」）が含まれる。摺動カードが容器内に挿入されると、摺動カード上または摺動カード内に形成された受け機構に、係合機構が係合する。受け機構には、例えば、１つ以上の開口、ポスト、ツメ、へり、ホック、接着剤、金属及び／または磁石面、ＶＥＬＣＲＯ（登録商標）締め具、その他の機構（「開口」）が含まれる。リリースボタンは、ロック付き容器上に配置され、ポストに近接して配置される。リブ及び／またはスプリングのような傾斜手段は、圧縮力を作用するように係合または受け機構に近接して配置され、これにより、係合機構を受け機構に係合させる。リリースボタンの押しつけにより、係合及び受け機構を解除するよう摺動カードが操作され、摺動カードが摺動自在に取り外される。
【０００８】
また、時には、ロック付き容器のロック態様を解除することが望ましい。したがって、ここで開示及び記載されたいくつかの実施形態のロック付き容器には、ロック解除態様が備えられている。ロック解除態様は、ロック付き容器と一体化されていても、ロック付き容器に取り付けられていてもよい。一実施形態においては、摺動スペーサーがロック付き容器に備えられている。摺動スペーサーには、ロッキングポストに隣接する位置に摺動可能なロックリリース手段が備えられている。ロックリリース手段がこの位置にある場合には、摺動部材のロッキング開口がロッキングポストに完全に係合するのを妨げる。
【０００９】
他の実施形態においては、ロック付き容器に摺動ロッキングポストが備えられている。摺動ロッキングポストが第１位置に配置された場合には、摺動部材のロッキング開口は摺動ロッキングポストに係合する。摺動ロッキングポストが第２位置に配置された場合には、摺動部材のロッキング開口は摺動ロッキングポストに係合しない。このように、摺動ロッキングポストが第２位置に配置された場合には、ロック付き容器のロック態様は効果的に解除される。
【００１０】
他の実施形態においては、摺動複合ロック機構には、傾斜部材及びロッキングポストが備えられている。摺動複合ロック機構が第１位置に配置された場合には、摺動部材のロッキング開口は複合ロック機構に係合する。摺動複合ロック機構が第２位置に配置された場合には、摺動部材のロッキング開口は摺動複合ロック機構の摺動ロッキングポストに係合しない。このように、摺動複合ロック機構が第２位置にある場合には、ロック付き容器のロック態様は効果的に解除される。
【００１１】
本発明の一実施形態によれば、ケース及び摺動部材が含まれる。摺動部材には、第１ロッキング部材が備えられている。ケースには、摺動部材を受ける溝を形成するために連結された第１側面及び第２側面が設けられている。ケースには、第１位置と第２位置との間で摺動部材を移動させ得る開口端が設けられている。ケースには、内部ロック機構とともに摺動スペーサーを収容するチャネル、及び、摺動スペーサーにアクセスするよう構成されたチャネルに近接したアクセスポートも備えられている。ケースには、内部ロック機構に近接したリリース手段も備えられている。
【００１２】
本発明の一態様によれば、第１ロック部材には、少なくとも１つのロッキング開口が備えられている。
【００１３】
本発明の他の態様によれば、摺動スペーサーがチャネル内に配置され、そこから延在する。
【００１４】
本発明の他の態様によれば、摺動部材には、さらにヒンジが設けられている。
【００１５】
本発明の他の態様によれば、少なくとも１つの側面には、第１ロック部材を解除自在に係合するよう構成された第２ロック部材が備えられている。
【００１６】
本発明の他の態様によれば、摺動部材には、さらにスペーサー開口が設けられている。
【００１７】
本発明の他の態様によれば、摺動スペーサーには、少なくとも１つのロッキングポストが設けられている。
【００１８】
本発明の他の態様によれば、摺動スペーサーには、ロッキングポストと、摺動部材をロッキングポストに向かわせるよう構成された傾斜部材とがさらに設けられている。
【００１９】
本発明の他の態様によれば、第２ロック部材には、少なくとも１つのロッキングポストが設けられている。
【００２０】
本発明の他の態様によれば、少なくとも１つの側面には、少なくとも１つの摺動ロッキングポストに近接し、摺動部材を少なくとも１つの摺動ロッキングポストに向かわせるよう構成された傾斜部材が設けられている。
【００２１】
本発明の他の態様によれば、少なくとも１つの側面には、少なくとも１つのロッキングポストに近接し、摺動部材を少なくとも１つのロッキングポストに向かわせるよう構成された傾斜部材が設けられている。
【００２２】
本発明のこれら及びその他の態様は、図面及び詳細な記載を参照して記載されるであろう。
【図面の簡単な説明】
【００２３】
【図１】本発明の一実施形態の模範的な選択自在なロック付き容器の分解組み立て図である。
【図２】図１の部分的に組み立てられた構成部材の平面図である。
【図３】機能態様における模範的な内部ロック機構を備えた図２の選択自在なロック付き容器、及び、機能解除態様における内部ロック機構の外見を示す平面図である。
【図４】図１のロック付き容器の透視図である。
【図５】本発明の他の実施形態のロック付き容器の模範的な選択自在なロック付き容器の分解組み立て図である。
【図６】機能態様における模範的な内部ロック機構を備えた図５の選択自在なロック付き容器、及び、機能解除態様における内部ロック機構の外見を示す平面図である。
【図７】本発明の他の実施形態のロック付き容器の模範的な選択自在なロック付き容器の説明図である。
【図８】Ａ及びＢは、部分的に組み立てられた図７のロック付き容器の斜視図である。
【図９】図７の部分的に組み立てられた構成部材の斜視図である。
【図１０】図７の部分的に組み立てられた構成部材の斜視図である。
【発明を実施するための最良の形態】
【００２４】
以下、請求する本発明の詳細な実施形態を開示する。開示された実施形態は、多様な変更態様及びこれらの組み合わせの単なる模範的な開示にすぎないことを理解する必要がある。以下、用語「模範的」は、実例、見本、模型またはひな形としての実施形態をさして拡張的に用いられる。図面は一定比率に縮小する必要はなく、いくつかの態様が特定の構成部分の詳細を示すために誇張または極小化されていてもよい。その他には、本発明を不明瞭としないために、公知の構成部分、システム、材料または方法については詳述していない。したがって、以下に示された特定の構造的及び機能的な詳細は、限定として解釈されるべきではなく、単なる請求項の根拠及び本発明を様々に用いる当業者への典型的な根拠として解釈されるべきである。
【００２５】
本発明は、実施形態として参照された薬剤関連品に限定されるものではなく、いずれの小型、精巧、高感度または携帯用のアイテムにも適用可能である。このようなアイテムの例としては、キャンディ、食品、ビタミン剤等のあらゆる種類の消耗品、コンタクトレンズ、避妊具、禁煙パッチ、補聴器用バッテリー等のあらゆる種類の個人医療品、ロック付き容器に収納可能なあらゆるアイテムが挙げられる。さらに、本発明は実施形態として示されたトレー及びブリスターパックに限定されるものではなく、あらゆる種類のアイテムを保持し、保存し、取り付け、保管し、または組み合わせることができる、摺動自在なトレー、カード、ラック、パック、ポーチ等のいずれにも適用することが可能である。
【００２６】
終始同様の符号は同様の態様を示した図面を参照し、本発明の実施形態を説明する。まず、図１について考察すると、模範的なロック付きパッケージ１０の分解組み立て図が示されている（「ロック付き容器」とも称される）。示されたように、ロック付きパッケージ１０は、選択的なロック付きケース１４（「ケース」）内に、摺動部材１２を保持している。上述したように、摺動部材１２は、トレー、ブリスターパック、ポーチ、引き出し、カード、ラック等（「摺動部材」、「カード」または「トレー」）であってもよい。ケース１４は、ベース１６とトップ１８からなる。リリースボタン２０は、開口２２により定義されている。開口２２は、ベース１６にリリースボタン２０を取り付けるヒンジ２４を除いてリリースボタン２０を取り囲んでいる。リリースボタン２０の可動部、すなわち、リリースボタン２０の、ヒンジ２４に対向し、開口２２に接している部分は、自由端２６となる。自由端２４の内周縁には、拡張リム２８が含まれている。以下に詳細に説明するように、リリースボタン２０の自由端２６を内側に押しつけることにより、拡張リム２８が内側に押しつけられ、係合トレー１２が開放される。図４に最も良く示されているように、ケース１４には、摺動部材１２がそこを通って移動することが可能な少なくとも１つの開口端２９が備えられている。
【００２７】
ベース１６には、内部ロック機構を形成する内部部材が含まれている。リリースボタン２０近傍に、係合端３２を備えたロッキングポスト３０が配置されている。摺動スペーサー３８を摺動自在に収納するよう、ベース端壁３４に沿ってスペーサーチャネル３６が配置されている。ベース１６及びトップ１８の両者に、以下に詳細に説明する取付手段４０が設けられている。また、ベース１６及び／またはトップ１８に、任意のエンドキャップ４２が設けられている。
【００２８】
ベース１６、トップ１８、またはこれらの両者には、取付手段４０が設けられる。示されたように、ベース１６及びトップ１８は、ピン４６（示していない）に係合するシリンダー４４、トップ側壁５０に係合するベース側壁１６、これらの組み合わせ等により永久的または一時的に取り付けられる。より具体的には、側壁４８には、トップ側壁５０上に配置されたタブ開口５４に連結する係合タブ５２が設けられている。このように、ケース１４を形成するように、ベース１６及びトップ１８をカチッと締める。組立後または組立の途中で、ケース１４を形成するベース１６及びトップ１８を永久的に溶接してもよい。
【００２９】
上記の摺動部材１２は、アイテムを保持するように構成された、ブリスターを含むトレーやブリスターカードであってもよい。摺動部材１２には、ロッキングポスト受けまたはロッキング開口５６、スペーサー開口５８、及び任意のヒンジ６０が含まれる。ここで、ロッキング開口５６は、ケース１４からトレー１２が移動するのを防ぐために、協働的に摺動部材１２をベース１６に係合するよう構成されている。以下にさらに詳細に説明しているように、リリースボタン２０を押しつけまたは操作することによりカード１２が解放されるまで、カードの移動または出し入れを防ぐために、ロッキング開口５６が協働的にポスト３０を係合するよう配置されている。必要な場合には、摺動部材１２の係合端に付加的に柔軟にヒンジ６０が設けられる。
【００３０】
図３を参照すると、摺動スペーサー３８がスペーサーチャネル３６内に配置された構成が示されている。摺動スペーサー３８には、ロックリリース手段６２が備えられている。図３においては、ロックリリース手段６２は、スペーサー開口５８内に配置されている。ロックリリース手段６２がこの位置に配置されると、ロッキング開口５６がロッキングポスト３０に連結及び係合し、これにより、摺動部材１２が固定される。
【００３１】
また、図３には、（点線を用いて）ロックリリース手段６２がスペーサー開口５８内に配置されていない構成が示されている。この構成においては、ロッキングポスト３０がロッキング開口５６に連結及び係合するのを妨げることにより、ロックリリース手段６２がスペーサー開口５８から離され、ロッキングポスト３０に接触している。これにより、ロックリリース手段６２は、カード１２がこの配置に固定されるのを妨げている。また、ロッキングポスト３０からロッキング開口５６を解放するようにカード１２の端部を持ち上げることにより、ロックリリース手段６２が固定位置からカード１２を解放する。ロックリリース手段６２がこの位置関係にある場合には、ロッキング開口５６がロッキングポスト３０に係合するのを妨げ、ロッキングポスト３０から解放されるため、摺動部材１２はベースに取り付けられない。
【００３２】
傾斜部材６４は、図４において視覚化されている。傾斜部材６４は、ロッキング開口５６にロッキングポスト３０を嵌め込む手段を備えている。図４においては、上記の傾斜部材６４はリブである。付加的な傾斜手段６４には、ロッキングポスト３０に係合または係合し続けるために、カード１２上に圧縮力を作用させる、板バネ、ダガースプリング、及び同様の構成が含まれる。理解されるように、傾斜手段６４は、ロッキングポスト３０に対向している必要はない。傾斜手段６４及びロッキングポスト３０は、単に摺動部材１２のロッキング開口５６を協働的に係合するよう構成されているに過ぎない。
【００３３】
図１〜４を参照すると、固定されたトレー１２のロッキングポスト３０からの解放が記載されている。固定されたトレー１２をロッキングポスト３０から解放するためには、リリースボタン２０がケース１４に押しつけられる。リリースボタン２０が押しつけられると、ロッキング開口５６がロッキングポスト３０上に持ち上げられるまで、リム２８がカード１２の端部を持ち上げる。同時に、少なくとも第１アイテムに接近するように、カード１２の対向端または自由端が把持され、引き出される。カード１２が十分に取り出されまたは牽引され、あるいは、出願人により提出された他の出願に開示されているように取り扱われる。
【００３４】
ロッキングポスト３０には、カード１２がケース１４内に十分に挿入された際にロッキング開口５６に係合し、リリースボタン２０が押しつけられ、リム２８がポスト３０から開口５６を解放するまで外側に移動するのを防ぐようにトレー１２を保持する、係合端３２が含まれる。アイテムがケース１４から取り除かれた後、カード１２は、内側に摺動され、スリーブ１４内に戻される。カード１２の再挿入は、ポスト３０の上方傾斜面６６を持ち上げ、必要であれば任意にヒンジ６０に沿ってカード１２の係合端を誘導し、カード１２がケース１４内に十分に再挿入された際に、開口５６がポスト３０に取り付けられる。十分に挿入された場合には、開口５６はポスト３０を実質的に取り囲み、ポスト３０と係合する。
【００３５】
上述の実施形態及び記載は、ロック付き容器１０の長所について述べている。しかしながら、一定の条件下においては、ロック機能は要求されない。例えば、ロック付き容器１０のブリスターパック内に薬剤を保持しているが、容器１０近傍に子供がいない状況である。また、容器１０近傍に子供がいるが、限られた時間のみでる状況である。このような環境においては、ロックまたは子供のいたずら防止機能が解除され、これにより、ロック付き容器１０及びその内容物を所有し、内容物を使用するユーザー、すなわち大人が、子供のいたずら防止機能を繰り返し処理することなく、内容物に接することができる。
【００３６】
ロック付き容器１０のロックを防ぐためには、摺動スペーサー３８は、内部ロック機構を機能または解除するためのアクセスポート６８から操作される。ユーザーは、ペーパークリップ、ペン、類似の突出部材等の小型ツールを用いて、アクセスポート６８を通して摺動スぺーサー３８を係合する。摺動部材１２のロッキング開口５６がロッキングポスト３０を係合するのを妨げるため、ロッキングポスト３０から摺動スペーサー３８を摺動し、摺動スペーサー３８をスペーサー開口５８に近接させることによって、ケース１４が固定される。容器１０のロック態様を解放するためには、摺動スペーサー３８をロッキングポスト３０に近接する位置に移動させ、図６に点線で示されたように、スペーサー開口５８に近接させない。この配置においては、摺動部材１２のロッキング開口５６がロッキングポスト３０を係合するのを妨げるので、ケース１４は固定されない。
【００３７】
図４は、摺動部材１２が組み立てられたケース１４から取り出され、再挿入されることを最もよく示している。トレーまたはカード１２からアイテムを取り出した後に、摺動部材１２が十分に再挿入され、内部ロック機構が機能または解除され、エンドキャップ４２が閉じられる。
【００３８】
図５及び６を見てみると、本願発明のロック付き容器１０の他の実施形態が示されている。図１〜４に示された実施形態の構成部材に実質的に類似したこの実施形態の構成部材には、同様の構成番号を付与し、開示の不必要な繰り返しを避けている。
【００３９】
摺動自在なロッキングポスト７０は、上記と同様の結果を提供するが、ユーザーが機能されたロック機構または解除されたロック機構を望むかによって選択的に配置される係合部材を備えることにより異なって機能する。ロッキングポスト７０がロッキング開口５６に近接される場合には、摺動部材１２は、選択的にロック自在なケース１４に係合され、収容される。図６に点線で示されたように、ロッキングポスト７０がロッキング開口５６に近接されない場合には、摺動部材１２は、選択的にロック自在なケース１４に係合も固定もされない。
【００４０】
図７〜１０は、本願発明の他の実施形態を示している。図８Ａは第１取付手段４０を備えた実施形態を示し、図８Ｂは第２取付手段４０を備えた実施形態を示していることを十分理解すべきであるが、図７〜１０を総合的に参照してこの実施形態について記載される。不必要な繰り返しを避けるため、上記と実質的に類似な構成部材には、上記実施形態の類似な構成部材と同様の番号が用いられる。
【００４１】
摺動自在な複合ロック機構７２には、ロッキングポスト７４及び傾斜部材７６が含まれる。トップ１８には、ロックシグナル７８の付加的部材が含まれ、ベース１６には、支持リブ８０及び収容部材８４の付加的部材が含まれる。摺動部材１２には、収容開口８４の付加的部材が含まれる。
【００４２】
図８Ａ及び８Ｂを参照すると、ロック機構７２の操作が示されている。上記のように、図８Ａ及び８Ｂに示された実施形態は、ベース１６とトップ１８とを組み合わせるために用いられる、２つの選択可能な取付手段４０を備えていることを除いて、上記実施形態と実質的に同様である。図８Ａには、部分的に挿入された摺動部材１２が示されている。この構成においては、ロッキング開口５６はまだロッキングポスト７４に係合されていない。摺動部材１２がさらにケース１４内に挿入されると、ロッキング開口５６がいずれロッキングポスト７４に係合される。摺動部材１２が挿入された場合、摺動部材１２は傾斜部材７６に接続する。傾斜部材７６は、摺動部材１２またはその一部をロッキングポストに向かわせる。摺動部材１２が完全に挿入されると、図８Ｂに示されるように、傾斜部材７６は、ロッキング開口５６がロッキングポスト７４に係合する固定位置に、ロッキング開口５６を保持する。図８Ｂにおいては、上記位置に摺動部材１２が固定されている。固定位置から摺動部材１２を解放するためには、図１〜６を参照した上記説明と実質的に同様に、リリースボタン２０を操作する。
【００４３】
上記のように、容器１０のロック態様が選択的に解除される。図７〜１０に示された容器１０のロック態様を解除するためには、図８Ａに示され図８Ｂに点線で示された配置に、ロック機構７２を移動する。この配置においては、ロッキング開口５６は、もはやロッキングポスト７４に係合していない。したがって、リリースボタン２０を何等操作することなく、摺動部材１２はケース１４から取り出される。
【００４４】
摺動ロック機構７２は、アクセスポート６８を通してアクセス可能であり、機能位置と解除位置との間を摺動することができる。機構７２は、ロッキング開口５６がロッキングポスト７４に近接されるよう配置され、ここではスプリングとして示されている傾斜部材７６によりこの配置を保持される。図９に示されるように、１つのインジケーターがロックシグナル７８として示されると、摺動部材１２がケース１４に係合され、ケース１４内に固定される。内部ロック機構からケース１４を解放することをユーザーが望む場合には、ユーザーは、上記のようにアクセスポート６８を通して複合機構７２にアクセスして摺動部材１２を解放し、ロッキングポスト７４がロッキング開口５６に近接しないように複合機構７２を摺動させる。この位置に複合機構７２が配置された場合には、図１０に示すように、２つのインジケーターがロックシグナル７８として示される。この２つのインジケーターは、摺動部材１２がケース１４から解放され、ケース１４内に固定されていないことをユーザーに伝える。
【００４５】
法律は要求しておらず、本クレームの可能な実施形態を説明及び開示することは経済的に法外なものである。これにより、上記の実施形態は単に開示の本質の明確な理解のための手段の模範的な説明にすぎない。したがって、クレームの目的から逸脱することのない範囲で、上記実施形態は変更、修飾及びこれらの組み合わせを行うことができる。これに鑑みて、この開示及び以下のクレームの目的には、このような変更、修飾及びこれらの組み合わせの全てが含まれる。
【図１】
2010527310.tif 000003
【図２】
2010527310.tif 000004
【図３】
2010527310.tif 000005
【図４】
2010527310.tif 000006
【図５】
2010527310.tif 000007
【図６】
2010527310.tif 000008
【図７】
2010527310.tif 000009
【図８】
2010527310.tif 000010
【図９】
2010527310.tif 000011
【図１０】
2010527310.tif 000012
【国際調査報告】
2010527310.tif 000013
2010527310.tif 000014